(57)【要約】【課題】ホール素子を用いて検出された地磁気に基づいて、方位を計測する。【解決手段】補正値記憶部７には、ｘ軸ホール素子ＨＥｘおよびｙ軸ホール素子ＨＥｙの基準値Ｌｘ、Ｌｙが携帯端末１０の使用状態ごとに記憶され、補正計算部６は、携帯端末１０の使用状態に対応した基準値Ｌｘ、Ｌｙを用いることにより、ｘ軸ホール素子ＨＥｘおよびｙ軸ホール素子ＨＥｙの出力増幅値Ｄｘ、Ｄｙを補正し、地磁気の各軸成分に比例した値α、βだけを取り出す。【選択図】      図１
2011149945.tif 000002
【特許請求の範囲】
【請求項１】
移動機器内に搭載される方位角計測装置であって、
地磁気を検出する２軸以上の磁気センサと、
前記磁気センサの各軸出力に対する基準値を携帯機器の使用状態ごとに複数記憶する第１の補正値記憶部と、
前記磁気センサの出力増幅値から前記携帯機器の使用状態に対応した前記基準値を選択して減算する第１の補正計算部と、
前記第１の補正計算部による出力補正値に基づいて、携帯機器の使用状態に対応して前記移動機器が向かっている方位を計算する方位角計算部と、
を備えることを特徴とする方位角計測装置。
【請求項２】
前記携帯機器は折り畳み式の携帯電話であり、前記携帯機器の使用状態は、前記携帯電話を折り畳んだ状態と、携帯電話を閉じた状態を含むことを特徴とする請求項１に記載の方位角計測装置。
【請求項３】
前記磁気センサは、地磁気を検出する３軸以上の磁気センサであり、
２軸以上の傾斜センサと、
前記傾斜センサの各軸出力値に基づいて、前記移動機器が水平面に対して傾いている傾斜角を計算する傾斜角計算部と、
前記第１の補正計算部による磁気センサ出力補正値および前記２軸以上の傾斜角計算値に基づいて、前記移動機器が向かっている水平面の方位を計算する方位角計算部と、を備えることを特徴とする請求項１または２に記載の方位角計測装置。
【請求項４】
前記磁気センサは、地磁気を検出する３軸以上の磁気センサであり、
傾斜角を設定する傾斜角設定手段と、
前記第１の補正計算部による磁気センサ出力補正値および前記傾斜角設定手段により設定された傾斜角に基づいて、前記移動機器が向かっている水平面の方位を計算する方位角計算部と、を備えることを特徴とする請求項１または２に記載の方位角計測装置。
【請求項５】
移動機器内に搭載される方位角計測装置であって、
前記磁気センサの出力増幅値から前記基準値を減算した出力補正値を積算平均する積算平均部を備えることを特徴とする請求項１〜４のいずれか１項に記載の方位角計測装置。
【請求項６】
前記磁気センサの内少なくとも１つは、ホール素子であることを特徴とする請求項１〜５のいずれか１項に記載の方位角計測装置。
【請求項７】
前記ホール素子を駆動する電源の入力端子と、前記ホール素子の電圧出力端子の接続を切り替えるチョッパ部を備えると共に、
前記チョッパ部を利用して前記ホール素子の出力に含まれるオフセットの大部分を相殺した後に、前記基準値を減算する第３の補正計算部を備えることを特徴とする請求項６に記載の方位角計測装置。
【発明の詳細な説明】
【技術分野】
【０００１】
本発明は、方位角計測装置に関し、特に、地磁気を検出して方位を求める場合に適用して好適なものである。
【背景技術】
【０００２】
近年、携帯電話やＰＤＡなどの普及により、歩行者用ナビゲーションシステムのニーズが高まっており、歩行者の現在位置と共に進行方向を計測するための方位センサシステムの需要が高まっている。
歩行者の進行方向を計測するために、従来から行われている方法として、感度の高いフラックスゲートセンサにより地磁気を検出して方位を求める方法があった。なお、このような従来技術としては、例えば、特許文献１が挙げられる。
【先行技術文献】
【特許文献】
【０００３】
【特許文献１】特開２００５−７００４９号公報
【発明の概要】
【発明が解決しようとする課題】
【０００４】
しかしながら、フラックスゲートセンサでは、コア材や巻線が使われるため、装置が大型化するとともに、価格も高価になり、さらに、携帯電話内で近くにスピーカ等磁気を発生する物があった場合には、その磁気によってコア材が飽和してしまい、地磁気の測定ができなくなるため、歩行者用ナビゲーションシステムなどに用いるには不向きであった。
そこで、本発明の目的は、感度の低い磁気センサを用いたか、近くに地磁気より大きな磁気を発生する物がある移動機器内に搭載された場合においても、地磁気から方位を計測することが可能な方位角計測装置を提供することである。
【課題を解決するための手段】
【０００５】
上述した課題を解決するために、請求項１記載の方位角計測装置によれば、移動機器内に搭載される方位角計測装置であって、地磁気を検出する２軸以上の磁気センサと、前記磁気センサの各軸出力に対する基準値を携帯機器の使用状態ごとに複数記憶する第１の補正値記憶部と、前記磁気センサの出力増幅値から前記携帯機器の使用状態に対応した前記基準値を選択して減算する第１の補正計算部と、前記第１の補正計算部による出力補正値に基づいて、携帯機器の使用状態に対応して前記移動機器が向かっている方位を計算する方位角計算部と、を備えることを特徴とする。
【０００６】
また、請求項２記載の方位角計測装置によれば、前記携帯機器が折り畳み式の携帯電話であり、前記携帯機器の使用状態は、前記携帯電話を折り畳んだ状態と、携帯電話を閉じた状態を含むことを特徴とする。
また、請求項３記載の方位角計測装置によれば、前記磁気センサが、地磁気を検出する３軸以上の磁気センサであり、２軸以上の傾斜センサと、前記傾斜センサの各軸出力値に基づいて、前記移動機器が水平面に対して傾いている傾斜角を計算する傾斜角計算部と、前記第１の補正計算部による磁気センサ出力補正値および前記２軸以上の傾斜角計算値に基づいて、前記移動機器が向かっている水平面の方位を計算する方位角計算部と、を備えることを特徴とする。
【０００７】
また、請求項４記載の方位角計測装置によれば、前記磁気センサが、地磁気を検出する３軸以上の磁気センサであり、傾斜角を設定する傾斜角設定手段と、前記第１の補正計算部による磁気センサ出力補正値および前記傾斜角設定手段により設定された傾斜角に基づいて、前記移動機器が向かっている水平面の方位を計算する方位角計算部と、を備えることを特徴とする。
【０００８】
また、請求項５記載の方位角計測装置によれば、移動機器内に搭載される方位角計測装置であって、前記磁気センサの出力増幅値から前記基準値を減算した出力補正値を積算平均する積算平均部を備えることを特徴とする。
また、請求項６記載の方位角計測装置によれば、前記磁気センサの内少なくとも１つが、ホール素子であることを特徴とする。
【０００９】
また、請求項７記載の方位角計測装置によれば、前記ホール素子を駆動する電源の入力端子と、前記ホール素子の電圧出力端子の接続を切り替えるチョッパ部を備えると共に、
前記チョッパ部を利用して前記ホール素子の出力に含まれるオフセットの大部分を相殺した後に、前記基準値を減算する第３の補正計算部を備えることを特徴とする。
【発明の効果】
【００１０】
以上説明したように、本発明によれば、感度の低い磁気センサを用いた場合においても、また、移動機器内の近くに地磁気より大きい磁気を発生する物がある場合においても、地磁気に基づいて移動機器の方位を計測することが可能となり、方位角計測装置の小型・低価格化、並びに搭載可能移動機器の条件緩和を図ることできる。
【図面の簡単な説明】
【００１１】
【図１】本発明の第１実施形態に係る方位角計測装置の構成を示すブロック図である。
【図２】本発明の一実施形態に係るチョッパ部の駆動方法および出力信号を示す図である。
【図３】図１の補正計算部６および方位角算出部８の動作例を示すフローチャートである。
【図４】本発明の第２実施形態に係る方位角計測装置の構成を示すブロック図である。
【図５】本発明の第３実施形態に係る方位角計測装置の構成を示すブロック図である。
【図６】本発明の一実施形態に係る補正値の一例を示す図である。
【図７】本発明の一実施形態に係る地磁気ベクトルと回転軸の関係を示す図である。
【図８】図５の補正計算部１６、傾斜角計算部２０および方位角算出部１８の動作例を示すフローチャートである。
【発明を実施するための形態】
【００１２】
以下、本発明の実施形態に係る方位角計測装置について図面を参照しながら説明する。
図１は、本発明の第１実施形態に係る方位角計測装置の構成を示すブロック図である。
図１において、２軸磁気センサ１、チョッパ部２、磁気センサ駆動電源部３、差動入力アンプ４、Ａ／Ｄ変換部５、補正計算部６、補正値記憶部７および方位角計算部８が設けられ、２軸磁気センサ１には、ｘ軸ホール素子ＨＥｘおよびｙ軸ホール素子ＨＥｙが設けられている。
【００１３】
ここで、ｘ軸ホール素子ＨＥｘおよびｙ軸ホール素子ＨＥｙは地磁気を検出するためのもので、例えば、ＩｎＳｂやＩｎＡｓ、ＧａＡｓなどの化合物半導体系であることが好ましい。
チョッパ部２はｘ軸ホール素子ＨＥｘおよびｙ軸ホール素子ＨＥｙを駆動する端子を切り換えるためのもので、磁気センサ駆動電源部３から出力された駆動電圧をｘ軸ホール素子ＨＥｘおよびｙ軸ホール素子ＨＥｙに印加する。
【００１４】
ここで、チョッパ部２は、例えば、９０°チョッパ駆動や３６０°チョッパ駆動などを用いることができる。なお、９０°チョッパ駆動では、ｘ軸ホール素子ＨＥｘおよびｙ軸ホール素子ＨＥｙを駆動する際に、ｘ軸ホール素子ＨＥｘおよびｙ軸ホール素子ＨＥｙの出力に含まれるホール素子自身のオフセット項を大部分キャンセルすることができる。
また、３６０°チョッパ駆動では、ｘ軸ホール素子ＨＥｘおよびｙ軸ホール素子ＨＥｙの出力に含まれるホール素子自身のオフセット項だけでなく、後段のアンプ自身による電気的なオフセット項もキャンセルすることができる。
【００１５】
図２は、本発明の一実施形態に係るチョッパ部２の３６０°チョッパ駆動方法および出力信号を示す図である。
図２において、ｘ軸ホール素子ＨＥｘおよびｙ軸ホール素子ＨＥｙには４つの端子Ｔ１〜Ｔ４が設けられている。そして、３６０°チョッパ駆動方法では、４つの位相ごとに、入力端子および出力端子を切り換えながら、ｘ軸ホール素子ＨＥｘおよびｙ軸ホール素子ＨＥｙを駆動する。
【００１６】
ここで、位相が０°の場合は、ｘ軸ホール素子ＨＥｘおよびｙ軸ホール素子ＨＥｙの各端子Ｔ１、Ｔ３を入力端子として使い、端子Ｔ３をＬＯＷレベルに設定するとともに、端子Ｔ１をＨｉｇｈレベルに設定する。そして、ｘ軸ホール素子ＨＥｘおよびｙ軸ホール素子ＨＥｙの各端子Ｔ２、Ｔ４を出力端子として使い、端子Ｔ２から電圧Ｖ１を取り出すとともに、端子Ｔ４から電圧Ｖ２を取り出すことにより、差動増幅後の出力Ｄ０＝（Ｖ１−Ｖ２）として、Ｄ０＝（Ｈ１＋Ｈ２＋Ｆ１＋Ｆ２）＋Ｆ３という値を得ることができる。
【００１７】
ただし、Ｈ１は、地磁気等移動機器外部に起因する磁界のホール素子感磁軸成分に比例するホール電圧、Ｈ２は、スピーカの磁石等移動機器内部に起因する磁気のホール素子感磁軸成分に比例するホール電圧、Ｆ１は、入力端子・出力端子の位相を９０度回転させた時に、ホール電圧に対して符号が反転するｘ軸ホール素子ＨＥｘおよびｙ軸ホール素子ＨＥｙのオフセット電圧、Ｆ２は、入力端子・出力端子の位相を９０度回転させた時に、ホール電圧に対して符号が変わらないｘ軸ホール素子ＨＥｘおよびｙ軸ホール素子ＨＥｙのオフセット電圧であり、通常は、Ｆ１≫Ｆ２であって、Ｆ１がホール素子自身のオフセット電圧の大部分を占めている。また、Ｆ３は、差動入力アンプ４のオフセット電圧である。
【００１８】
位相が９０°の場合は、ｘ軸ホール素子ＨＥｘおよびｙ軸ホール素子ＨＥｙの各端子Ｔ２、Ｔ４を入力端子として使い、端子Ｔ４をＬＯＷレベルに設定するとともに、端子Ｔ２をＨｉｇｈレベルに設定する。そして、ｘ軸ホール素子ＨＥｘおよびｙ軸ホール素子ＨＥｙの各端子Ｔ１、Ｔ３を出力端子として使い、端子Ｔ１から電圧Ｖ１を取り出すとともに、端子Ｔ３から電圧Ｖ２を取り出すことにより、差動増幅後の出力Ｄ９０＝（Ｖ１−Ｖ２）として、Ｄ９０＝（Ｈ１＋Ｈ２−Ｆ１＋Ｆ２）＋Ｆ３という値を得ることができる。
【００１９】
位相が１８０°の場合は、ｘ軸ホール素子ＨＥｘおよびｙ軸ホール素子ＨＥｙの各端子Ｔ３、Ｔ１を入力端子として使い、端子Ｔ１をＬＯＷレベルに設定するとともに、端子Ｔ３をＨｉｇｈレベルに設定する。そして、ｘ軸ホール素子ＨＥｘおよびｙ軸ホール素子ＨＥｙの各端子Ｔ２、Ｔ４を出力端子として使い、端子Ｔ２から電圧Ｖ１を取り出すとともに、端子Ｔ４から電圧Ｖ２を取り出すことにより、差動増幅後の出力Ｄ１８０＝（Ｖ１−Ｖ２）として、Ｄ１８０＝−（Ｈ１＋Ｈ２＋Ｆ１＋Ｆ２）＋Ｆ３という値を得ることができる。
【００２０】
位相が２７０°の場合は、ｘ軸ホール素子ＨＥｘおよびｙ軸ホール素子ＨＥｙの各端子Ｔ４、Ｔ２を入力端子として使い、端子Ｔ２をＬＯＷレベルに設定するとともに、端子Ｔ４をＨｉｇｈレベルに設定する。そして、ｘ軸ホール素子ＨＥｘおよびｙ軸ホール素子ＨＥｙの各端子Ｔ１、Ｔ３を出力端子として使い、端子Ｔ１から電圧Ｖ１を取り出すとともに、端子Ｔ３から電圧Ｖ２を取り出すことにより、差動増幅後の出力Ｄ３６０＝（Ｖ１−Ｖ２）として、Ｄ３６０＝−（Ｈ１＋Ｈ２−Ｆ１＋Ｆ２）＋Ｆ３という値を得ることができる。
【００２１】
そして、これらの出力を以下の式で計算することにより、ｘ軸ホール素子ＨＥｘおよびｙ軸ホール素子ＨＥｙのオフセット項の大部分およびアンプの電気的オフセット項をキャンセルして、ｘ軸ホール素子ＨＥｘおよびｙ軸ホール素子ＨＥｙの出力から、回路的にキャンセル可能なオフセット項を減じて、温度変化等による出力の変化を少なくすることができる。
（Ｄ０＋Ｄ９０−Ｄ１８０−Ｄ３６０）＝Ｈ１＋Ｈ２＋Ｆ２
【００２２】
次に、図１において、ｘ軸ホール素子ＨＥｘおよびｙ軸ホール素子ＨＥｙから出力された信号は、差動入力アンプ４で増幅され、ここで増幅された出力増幅値Ｄｘ、ＤｙがＡ／Ｄ変換部５でデジタル信号に変換された後、補正計算部６に入力される。
ここで、補正値記憶部７には、上記Ｈ２＋Ｆ２に相当するｘ軸ホール素子ＨＥｘおよびｙ軸ホール素子ＨＥｙの基準値Ｌｘ、Ｌｙが記憶され、補正計算部６は、この基準値Ｌｘ、Ｌｙを用いることにより、ｘ軸ホール素子ＨＥｘおよびｙ軸ホール素子ＨＥｙの出力増幅値Ｄｘ、Ｄｙを補正し、上記Ｈ１に相当する地磁気の各軸成分に比例した値α、βだけを取り出す。
【００２３】
なお、補正値記憶部７に記憶される基準値Ｌｘ、Ｌｙとして、方位角計測装置を携帯機器に入れた状態で、チョッパ駆動して測定したｘ軸ホール素子ＨＥｘおよびｙ軸ホール素子ＨＥｙの基準値Ｌｘ、Ｌｙを記憶させることができる。
そして、補正計算部６は、ｘ軸ホール素子ＨＥｘおよびｙ軸ホール素子ＨＥｙの出力増幅値Ｄｘ、Ｄｙから、この基準値Ｌｘ、Ｌｙを減算することにより、ｘ軸ホール素子ＨＥｘおよびｙ軸ホール素子ＨＥｙの出力から、地磁気の各軸成分に比例した値α、βだけを取り出すことができる。
【００２４】
補正計算部６において地磁気の各軸成分に比例した値α、βが取り出されると、この値α、βは方位角計算部７に出力される。そして、方位角計算部７は、地磁気の各軸成分に比例した値α、βの符号と、θ＝ａｒｃＴＡＮ（β／α）の式に基づいて、方位角θを算出する。
これにより、たとえ地磁気から得られる信号が微弱なため、チョッパ部２でオフセットをキャンセルした後の残留オフセット値が、信号成分と同等レベル以上残っている場合においても、また、携帯機器の近くに、スピーカ等地磁気より大きい磁気を発生するものがある場合においても、方位角の算出を行うことが可能となる。
【００２５】
図３は、図１の補正計算部６および方位角算出部８の動作例を示すフローチャートである。
図３において、補正計算部６は、ｘ軸ホール素子ＨＥｘおよびｙ軸ホール素子ＨＥｙの出力増幅値Ｄｘ、Ｄｙを取得すると（ステップＳ１）、ｘ軸ホール素子ＨＥｘおよびｙ軸ホール素子ＨＥｙの基準値Ｌｘ、Ｌｙを補正値記憶部７から取得する（ステップＳ２）。
【００２６】
次に、補正計算部６は、ｘ軸ホール素子ＨＥｘおよびｙ軸ホール素子ＨＥｙの出力増幅値Ｄｘ、Ｄｙから基準値Ｌｘ、Ｌｙを減算することにより、地磁気の各軸成分に比例した値α、βだけを取り出し（ステップＳ３）、方位角算出部８に出力する。
次に、方位角算出部８は、地磁気の各軸成分に比例した値α、βを用いることにより、方位角θを算出し（ステップＳ４）、算出した方位角θを出力する（ステップＳ５）。
【００２７】
図４は、本発明の第２実施形態に係る方位角計測装置の構成を示すブロック図である。  図４において、図１の補正計算部６の後段には、補正計算部６から出力された信号を積算平均するための積算平均部９が設けられている。そして、方位角計算部８は、この積算平均値に基づいて方位角θを算出する。
通常、携帯機器、特に、携帯電話等電源容量に限りがある機器の場合には、消費電力を抑えたり、計算速度を速めたりするために、固定小数点演算を行うことが多い。
【００２８】
このような場合、ホール素子の出力から基準値を減算して、絶対値を小さくした後に積算平均を行うことにより、計算のオーバーフローを防ぎ、計算精度を高く保つことが容易になる。
これにより、地磁気の各軸成分に比例した値α、βのみを積算平均して、Ｓ／Ｎ比を向上させることができ、感度の低いｘ軸ホール素子ＨＥｘおよびｙ軸ホール素子ＨＥｙを用いた場合においても、歩行者の進行方向を計測するために必要な角度分解能を確保することができる。
【００２９】
図５は、本発明の第３実施形態に係る方位角計測装置の構成を示すブロック図である。
図５において、３軸磁気センサ１１、チョッパ部１２、磁気センサ駆動電源部１３、差動入力アンプ１４、Ａ／Ｄ変換部１５、補正計算部１６、補正値記憶部１７、方位角計算部１８、積算平均部１９、傾斜角計算部２Ｆ２軸傾斜センサ２１および傾斜センサ駆動電源部２２が設けられ、３軸磁気センサ１１には、ｘ軸ホール素子ＨＥｘ、ｙ軸ホール素子ＨＥｙおよびｚ軸ホール素子ＨＥｚが設けられている。
【００３０】
なお、ｘ軸ホール素子ＨＥｘ、ｙ軸ホール素子ＨＥｙおよびｚ軸ホール素子ＨＥｚは地磁気を検出するためのもので、例えば、ＩｎＳｂやＩｎＡｓ、ＧａＡｓなどの化合物半導体系であることが好ましい。
ここで、ｘ軸ホール素子ＨＥｘ、ｙ軸ホール素子ＨＥｙおよびｚ軸ホール素子ＨＥｚはチョッパ部１２により駆動端子が入れ換えられる。そして、ｘ軸ホール素子ＨＥｘ、ｙ軸ホール素子ＨＥｙおよびｚ軸ホール素子ＨＥｚから出力された信号は、差動入力アンプ１４で増幅され、ここで増幅された出力増幅値Ｄｘ、Ｄｙ、ＤｚがＡ／Ｄ変換部１５でデジタル信号に変換された後、補正計算部１６に入力される。
【００３１】
また、２軸傾斜センサ２１は、方位角計測装置が搭載される携帯端末の傾きを計測し、その計測結果Ｋａ、Ｋｂを補正計算部１６に出力する。
ここで、補正値記憶部１７には、ｘ軸ホール素子ＨＥｘ、ｙ軸ホール素子ＨＥｙおよびｚ軸ホール素子ＨＥｚの基準値Ｌｘ、Ｌｙ、Ｌｚに加え、ｘ軸ホール素子ＨＥｘ、ｙ軸ホール素子ＨＥｙおよびｚ軸ホール素子ＨＥｚの感度比Ｇｘ、Ｇｙ、Ｇｚが記憶される。
そして、補正計算部１６は、これらの基準値Ｌｘ、Ｌｙ、Ｌｚおよび感度比Ｇｘ、Ｇｙ、Ｇｚを用いることにより、ｘ軸ホール素子ＨＥｘ、ｙ軸ホール素子ＨＥｙおよびｚ軸ホール素子ＨＥｚの出力増幅値Ｄｘ、Ｄｙ、Ｄｚを補正し、地磁気の各軸成分に比例した値α、β、γだけを取り出す。
【００３２】
図６は、本発明の一実施形態に係る基準値Ｌｘ、Ｌｙ、Ｌｚおよび感度比Ｇｘ、Ｇｙ、Ｇｚの一例を示す図である。
図６において、各ホール素子ＨＥｘ、ＨＥｙ、ＨＥｚの地磁気感度値（地磁気水平成分の最大値に対応する各ホール素子ＨＥｘ、ＨＥｙ、ＨＥｚの出力値）は、１７．３、１５．９、１８．０である。
また、方位角計測装置を携帯機器に入れる前の状態で、チョッパ駆動なしで測定した各ホール素子ＨＥｘ、ＨＥｙ、ＨＥｚのオフセット値（ｍＶ）は、−１６４．５、３０１．０、１０６４．０、方位角計測装置を携帯機器に入れる前の状態で、チョッパ駆動ありで測定した各ホール素子ＨＥｘ、ＨＥｙ、ＨＥｚのオフセット値（ｍＶ）は、２５．３、２２．８、１６．８、方位角計測装置を携帯機器に入れた後の状態で、チョッパ駆動なしで測定した各ホール素子ＨＥｘ、ＨＥｙ、ＨＥｚのオフセット値（ｍＶ）は、−５８．１、２５３．８、７７４．７、方位角計測装置を携帯機器に入れる前の状態で、チョッパ駆動ありで測定した各ホール素子ＨＥｘ、ＨＥｙ、ＨＥｚのオフセット値（ｍＶ）は、１３１．７、−２４．４、−２７２．５である。
【００３３】
なお、ホール素子ＨＥｘ、ＨＥｙ、ＨＥｚは、旭化成電子（株）製：ＨＷ１０５Ｃを用い、駆動電圧：１．０Ｖ、差動入力アンプゲイン：５００倍とした。
また、地磁気感度値として、ホール素子感磁軸が水平になるように配置し、水平面で１周等速回転させて、この時の最大出力と最小出力との差を２で割った値を用いた。
また、オフセット値として、ホール素子感磁軸が水平になるように配置し、水平面で１周等速回転させて、この時の出力を１周積分平均した値を用いた。
【００３４】
このように、ホール素子の地磁気感度値は、同一製品を用いた場合においても、各ホール素子ＨＥｘ、ＨＥｙ、ＨＥｚごとにばらつきがあり、地磁気などのように微弱な信号を計測する場合には無視できない。
また、携帯機器のスピーカなどに使用される磁石からの磁気の影響のため、方位角計測装置を携帯機器に入れる前後で、各ホール素子ＨＥｘ、ＨＥｙ、ＨＥｚのオフセット値は大きく異なり、その差はチョッパを用いた場合においても、地磁気を測定した場合の各ホール素子ＨＥｘ、ＨＥｙ、ＨＥｚの信号成分と同等レベルかそれ以上ある。
【００３５】
このため、方位角計測装置を携帯機器に搭載して使用する場合、各ホール素子ＨＥｘ、ＨＥｙ、ＨＥｚの感度補正値（比率の逆数）および位角計測装置を携帯機器に入れた後の状態で測定した基準値を補正値記憶部１７に記憶する。
そして、図５の補正計算部１６は、ｘ軸ホール素子ＨＥｘ、ｙ軸ホール素子ＨＥｙおよびｚ軸ホール素子ＨＥｚの出力増幅値Ｄｘ、Ｄｙを、補正値記憶部１７に記憶されている感度補正値および方位角計測装置を携帯機器に入れた後の状態で測定した基準値を用いて補正する。
【００３６】
そして、方位角計算部１８は、その補正後の地磁気の３軸データα、β、γと、傾斜角計算部２０で算出された２軸の傾斜角φ、ηとを用いることにより、方位角θを算出する。
これにより、方位角計測装置が搭載された携帯端末が傾いている場合においても、微弱な地磁気を用いて方位を算出することができる。
【００３７】
なお、図６の実施形態では、方位角計測装置を携帯機器に入れる前後で、各ホール素子ＨＥｘ、ＨＥｙ、ＨＥｚのオフセット値が大きく異なる例について示したが、各ホール素子ＨＥｘ、ＨＥｙ、ＨＥｚのオフセット値は、方位角計測装置を携帯機器に入れる前後ばかりでなく、携帯機器の使用状態によっても異なる。
例えば、折り畳み式の携帯電話では、携帯電話を折り畳んだ状態と、携帯電話を閉じた状態とでは、各ホール素子ＨＥｘ、ＨＥｙ、ＨＥｚのオフセット値が異なる。
【００３８】
このため、各ホール素子ＨＥｘ、ＨＥｙ、ＨＥｚについて、携帯機器の使用状態ごとの複数のオフセット値を補正値記憶部１７に記憶し、方位計算部１６が現在の携帯機器の使用状態に対応したオフセット値を選択して、方位を算出するようにしてもよい。
ここで、感度とオフセットが補正された３軸の地磁気データα、β、γおよび２軸の傾斜角データφ、ηを用いて方位角θを算出する場合、以下の計算アルゴリズムを用いることができる。
【００３９】
図７は、方位角θを算出する場合の地磁気ベクトルと回転軸の関係を示す図である。
図７において、地磁気ベクトル（ｘ、ｙ、ｚ）に対応してＴＭｘ軸を設定し、このＴＭｘ軸に直交する２軸をＴＭｙ軸、ＴＭｚ軸とする。
また、方位角計測装置を携帯端末１０に搭載して用いる場合において、地磁気ベクトル（ｘ、ｙ、ｚ）に対する携帯端末１０の方位をθ、俯角をδとする。また、携帯端末１０は水平面から長手方向にφ、短手方向にηだけ傾いているものとする。
【００４０】
そして、俯角δを補正するために、ＴＭｙ軸の周りに、−δだけ回転させ、この回転後の軸をＨＸ、ＨＹ、ＨＺとする。
次に、ＨＺ軸の周りに、θだけ回転させ、この回転後の軸をＭ１ｘ、Ｍ１ｙ、Ｍ１ｚとする。
次に、Ｍ１ｙ軸の周りに、−φだけ回転させ、この回転後の軸をＭ２ｘ、Ｍ２ｙ、Ｍ２ｚとし、さらに、Ｍ２ｘ軸の周りに、−ηだけ回転させる。
【００４１】
これらの回転により、地磁気ベクトル（ｘ、ｙ、ｚ）と各ホール素子Ｈ１〜Ｈ３からの出力（α、β、γ）との間には、以下の（１）式が成り立つ。
【００４２】
【数１】
2011149945.tif 000003
【００４３】
そして、地磁気ベクトル（ｘ、ｙ、ｚ）＝（１、０、０）の関係より、各ホール素子Ｈ１〜Ｈ３からの出力（α、β、γ）を求めると、以下の（２）式が得られる。
【００４４】
【数２】
2011149945.tif 000004
【００４５】
次に、（２）式のαの式を変形すると、以下の（３）式が得られる。
【００４６】
【数３】
2011149945.tif 000005
【００４７】
次に、（３）式を（２）式のβ、γの式に代入すると、以下の（４）、（５）式が得られる。
【００４８】
【数４】
2011149945.tif 000006
【００４９】
次に、（４）、（５）式からｃｏｓ（δ）を求めると、以下の（６）式が得られる。
【００５０】
【数５】
2011149945.tif 000007
【００５１】
次に、（６）式を変形して方位角θを求めると、以下の（７）式が得られる。
【００５２】
【数６】
2011149945.tif 000008
【００５３】
このように、３軸の地磁気データα、β、γおよび２軸の傾斜角データφ、ηを用いることにより、俯角δを用いることなく、方位角θを算出することができる。
図８は、図５の補正計算部１６、傾斜角計算部２０および方位角算出部１８の動作例を示すフローチャートである。
図８において、補正計算部１６は、ｘ軸ホール素子ＨＥｘ、ｙ軸ホール素子ＨＥｙおよびｚ軸ホール素子ＨＥｚの出力増幅値Ｄｘ、Ｄｙ、Ｄｚを取得すると（ステップＳ１１）、ｘ軸ホール素子ＨＥｘ、ｙ軸ホール素子ＨＥｙおよびｚ軸ホール素子ＨＥｚの基準値Ｌｘ、Ｌｙ、Ｌｚを補正値記憶部１７から取得する（ステップＳ１２）。
【００５４】
次に、補正計算部１６は、ｘ軸ホール素子ＨＥｘ、ｙ軸ホール素子ＨＥｙおよびｚ軸ホール素子ＨＥｚの出力増幅値Ｄｘ、Ｄｙ、Ｄｚから基準値Ｌｘ、Ｌｙ、Ｌｚを減算する（ステップＳ１３）。そして、ｘ軸ホール素子ＨＥｘ、ｙ軸ホール素子ＨＥｙおよびｚ軸ホール素子ＨＥｚの感度比Ｇｘ、Ｇｙ、Ｇｚを用いて減算結果を補正し、地磁気の各軸成分に比例した値α、β、γだけを取り出した後（ステップＳ１４）、方位角計算部１８に出力する。
【００５５】
次に、傾斜角計算部２０は、２軸傾斜センサ２１の出力値Ｋａ、Ｋｂを取得する（ステップＳ１５）。そして、出力値Ｋａ、Ｋｂを用いて傾斜角φ、ηを計算し（ステップＳ１６）、方位角計算部１８に出力する。
次に、方位角計算部１８は、地磁気の各軸成分に比例した値α、β、γと傾斜角φ、ηとを用いることにより、方位角θを算出し（ステップＳ１７）、算出した方位角θを出力する（ステップＳ１８）。
なお、上述した実施形態では、傾斜角φ、ηを求めるために、２軸傾斜センサ２１の計測値を用いる方法について説明したが、傾斜角を使用者が設定し、この設定値を用いて、方位角θを算出するようにしてもよい。
【産業上の利用可能性】
【００５６】
以上説明した本発明の方位角計測装置は、磁気センサを使って方位を求める構成であればどのようなものにも適用することができるが、感度の低い磁気センサを用いた場合、あるいは方位角計測装置が搭載される機器の近くに地磁気より大きい磁気を発生する物がある場合に特に効果を発揮する。
【符号の説明】
【００５７】
１  ２軸磁気センサ
１１  ３軸磁気センサ
ＨＥｘ  ｘ軸ホール素子
ＨＥｙ  ｙ軸ホール素子
ＨＥｚ  ｚ軸ホール素子
２、１２  チョッパ部
３、１３  磁気センサ駆動電源部
４、１４  差動入力アンプ
５、１５  Ａ／Ｄ変換部
６、１６  補正計算部
７、１７  補正値記憶部
８、１８  方位角計算部
９、１９  積算平均部
２０  傾斜角計算部
１０  携帯端末  ２１  ２軸傾斜センサ
２２  傾斜センサ駆動電源部
【図１】
2011149945.tif 000009
【図２】
2011149945.tif 000010
【図３】
2011149945.tif 000011
【図４】
2011149945.tif 000012
【図５】
2011149945.tif 000013
【図６】
2011149945.tif 000014
【図７】
2011149945.tif 000015
【図８】
2011149945.tif 000016
【手続補正書】
【提出日】平成23年3月7日(2011.3.7)
【手続補正１】
【補正対象書類名】明細書
【補正対象項目名】０００６
【補正方法】変更
【補正の内容】
【０００６】
また、請求項２記載の方位角計測装置によれば、前記携帯機器が折り畳み式の携帯電話であり、前記携帯機器の使用状態は、前記携帯電話を折り畳んだ状態と、携帯電話を開いた状態を含むことを特徴とする。
また、請求項３記載の方位角計測装置によれば、前記磁気センサが、地磁気を検出する３軸以上の磁気センサであり、２軸以上の傾斜センサと、前記傾斜センサの各軸出力値に基づいて、前記移動機器が水平面に対して傾いている傾斜角を計算する傾斜角計算部と、前記第１の補正計算部による磁気センサ出力補正値および前記２軸以上の傾斜角計算値に基づいて、前記移動機器が向かっている水平面の方位を計算する方位角計算部と、を備えることを特徴とする。
【手続補正２】
【補正対象書類名】明細書
【補正対象項目名】００３７
【補正方法】変更
【補正の内容】
【００３７】
なお、図６の実施形態では、方位角計測装置を携帯機器に入れる前後で、各ホール素子ＨＥｘ、ＨＥｙ、ＨＥｚのオフセット値が大きく異なる例について示したが、各ホール素子ＨＥｘ、ＨＥｙ、ＨＥｚのオフセット値は、方位角計測装置を携帯機器に入れる前後ばかりでなく、携帯機器の使用状態によっても異なる。
例えば、折り畳み式の携帯電話では、携帯電話を折り畳んだ状態と、携帯電話を開いた状態とでは、各ホール素子ＨＥｘ、ＨＥｙ、ＨＥｚのオフセット値が異なる。
【手続補正３】
【補正対象書類名】特許請求の範囲
【補正対象項目名】請求項２
【補正方法】変更
【補正の内容】
【請求項２】
前記携帯機器は折り畳み式の携帯電話であり、前記携帯機器の使用状態は、前記携帯電話を折り畳んだ状態と、携帯電話を開いた状態を含むことを特徴とする請求項１に記載の方位角計測装置。